(57)【特許請求の範囲】
【請求項１】
通常は閉じていて挿入される処置具によって押し開かれるように鉗子チャンネルの入口側端部に配置された鉗子栓の入口に対向して、吸水性材料からなる汚液吸収部材を、上記処置具が上記汚液吸収部材の内部に密接しながら通過できるように配置したことを特徴とする内視鏡の汚液飛散防止具。
【請求項２】
上記汚液吸収部材が連続発泡体によって形成されている請求項１記載の内視鏡の汚液飛散防止具。
【請求項３】
上記汚液吸収部材と上記鉗子栓との間が着脱自在に設けられている請求項１又は２記載の内視鏡の汚液飛散防止具。
【請求項４】
上記汚液吸収部材が、上記鉗子栓と一体のユニットとして設けられている請求項１又は２記載の内視鏡の汚液飛散防止具。
【請求項５】
上記汚液吸収部材が複数の片に分割形成されていて、上記鉗子栓に挿脱される処置具が上記汚液吸収部材の分割面を押し広げながら通過する請求項１、２、３又は４記載の内視鏡の汚液飛散防止具。
【請求項６】
上記汚液吸収部材が一つのブロックとして形成されていて、上記鉗子栓に挿入される処置具が上記汚液吸収部材を穿孔しながら通過する請求項１、２、３又は４記載の内視鏡の汚液飛散防止具。
【発明の詳細な説明】
【０００１】
【発明の属する技術分野】
この発明は、鉗子チャンネルの入口からの体腔内汚液の飛散を防止するための内視鏡の汚液飛散防止具に関する。
【０００２】
【従来の技術】
内視鏡には一般に、処置具類を通すための鉗子チャンネルが挿入部内に挿通されていて、その先端出口は挿入部の先端において開口し、基端入口は操作部において開口している。
【０００３】
ただし、そのままでは、体腔内の圧力によって体腔内の汚液が鉗子チャンネル内を通って操作部側の入口開口から噴出し、術者やその周囲を汚染してしまうことになる。
【０００４】
そこで、そのような汚液噴出を阻止し、且つ鉗子チャンネルに対する処置具の挿脱を行うことができるように、鉗子チャンネルの入口開口部には、例えばスリットが形成されたゴム弁からなるいわゆる鉗子栓が装着されている。
【０００５】
【発明が解決しようとする課題】
しかし、鉗子栓に処置具が通されると、ゴム弁のスリットが押し広げられてスリットの端の方の部分では処置具の外周面との間に隙間ができ、その部分から汚液が噴出する場合が少なくない。特に、コイルパイプをシースとする処置具の場合は、外周面に螺旋状に隙間があるので汚液が噴出し易い。
【０００６】
また、シース内に操作ワイヤ等が進退自在に挿通された処置具の場合には、シースと操作ワイヤとの間に隙間があるので、その部分を通って汚液が噴出する場合がある。
【０００７】
そのようにして、体腔内汚液が鉗子チャンネルの入口側から噴出すると、術者の顔や手に汚液がかかったり、周囲に飛散して非常に不衛生な状態になってしまう場合があるが、そのような体腔内汚液の噴出を完全に防止するのは困難である。
【０００８】
そこで本発明は、鉗子栓から体腔内汚液の噴出があっても、汚液がそこから外方に飛び散らず、内視鏡検査を衛生的に行うことができる内視鏡の汚液飛散防止具を提供することを目的とする。
【０００９】
【課題を解決するための手段】
上記の目的を達成するため、本発明の内視鏡の汚液飛散防止具は、通常は閉じていて挿入される処置具によって押し開かれるように鉗子チャンネルの入口側端部に配置された鉗子栓の入口に対向して、吸水性材料からなる汚液吸収部材を、上記処置具が上記汚液吸収部材の内部に密接しながら通過できるように配置したことを特徴とする。
【００１０】
なお、上記汚液吸収部材が連続発泡体によって形成されていてもよい。また、上記汚液吸収部材と上記鉗子栓との間が着脱自在に設けられていてもよく、上記汚液吸収部材が、上記鉗子栓と一体のユニットとして設けられていてもよい。
【００１１】
また、上記汚液吸収部材が複数の片に分割形成されていて、上記鉗子栓に挿脱される処置具が上記汚液吸収部材の分割面を押し広げながら通過するようにしてもよく、上記汚液吸収部材が、一つのブロックとして形成されていて、上記鉗子栓に挿入される処置具が上記汚液吸収部材を穿孔しながら通過するようにしてもよい。
【００１２】
【発明の実施の形態】
図面を参照して本発明の実施の形態を説明する。
図３において、１は内視鏡の操作部であり、その下端部に、体腔内に挿入される挿入部２が連結されている。
【００１３】
挿入部２内には、その先端に出口が開口する鉗子チャンネル４が全長にわたって挿通配置されている。そして、鉗子チャンネル４の入口側端部は、操作部１の下端部に斜め上方に向けて突設された突出部３の先端に開口形成された処置具挿入口５に連通している。
【００１４】
処置具挿入口５の口元部分には、通常は閉じていて、処置具挿入口５から鉗子チャンネル４内へ処置具が挿通されたときだけ押し開かれる鉗子栓６が配置されている。
【００１５】
図１は処置具挿入口５部分を拡大して示しており、鉗子栓６は、弾力性のあるゴム材によって形成されている。鉗子栓６の中央部分は処置具挿入口５内に滑らかに入り込んでいて、中央部分にスリット６ａが形成されている。
【００１６】
処置具挿入口５部分に操作部１側から突設された口金７には、鉗子栓６が係合する鍔が突端部分に形成されていて、鉗子栓６は、そこに密着して被さる形状に形成されている。そして、鉗子栓６は弾力性があるので、口金７に対して変形させながら自由に着脱することができる。
【００１７】
さらにその鉗子栓６に対して着脱自在に、鉗子栓６のスリット６ａから外方に漏出する汚液が外部に飛散するのを防止するための汚液飛散防止具１０が設けられている。
【００１８】
汚液飛散防止具１０は、中央に孔１１ａのあいたキャップ状に形成されたプラスチック製のケース１１内に、吸水性と弾力性のある例えばスポンジのような連続発泡体からなる汚液吸収部材１２が嵌め込まれて形成されている。
【００１９】
汚液吸収部材１２は、図２に示されるように、例えば短円柱状の部材を軸線を通る平面１２ａで縦に２分割して形成されており、図１に示されるように、鉗子栓６と中心軸位置を合わせて、鉗子栓６の入口に対向して位置している。汚液吸収部材１２の半部どうしは間に隙間ができないように密着した状態になっている。なお、汚液吸収部材１２を３分割以上に分割してもよい。
【００２０】
鉗子栓６の外周面には、汚液飛散防止具１０のケース１１が係合する鍔６ｂが突設されていて、汚液飛散防止具１０のケース１１は、そこに密着して被さる形状に形成されている。そして、鉗子栓６は弾力性があるので、ケース１１に対して変形させながら自由に着脱することができる。
【００２１】
このように形成された実施の形態においては、体腔内の汚液が体腔内圧の上昇によって鉗子チャンネル４から鉗子栓６のスリット６ａを通って外部に漏出するような場合があっても、スリット６ａのすぐ外側に配置された汚液吸収部材１２によって漏出汚液が吸収され、その汚液はケース１１内に留められる。
【００２２】
そして、処置具を使用する際には、処置具はケース１１の孔１１ａから汚液吸収部材１２の分割面１２ａの間を、汚液吸収部材１２を押し広げながら分割面１２ａに密接した状態で通り、さらに鉗子栓６のスリット６ａを押し広げながら処置具挿入口５から鉗子チャンネル４内に挿入される。
【００２３】
そのように鉗子栓６に処置具が挿通された状態では、スリット６ａからの汚液の漏出量が増加するが、その場合でも漏出汚液は汚液吸収部材１２に吸収され、ケース１１内に留められる。
【００２４】
処置具が再び抜去された後は、鉗子栓６のスリット６ａ及び汚液吸収部材１２の分割面１２ａ共に各々自己の弾力性によって閉じ、処置具挿入前と同じ状態に戻る。
【００２５】
図４は本発明の第２の実施の形態を示しており、汚液吸収部材１２を、脆い吸水性材料（例えば発泡倍率が高く密度が粗なスポンジ等）により一つのブロック状に形成したものである。
【００２６】
この場合には、挿入される処置具によって汚液吸収部材１２が穿設されて、第１の実施の形態と同様の使用をすることができ、鉗子栓６のスリット６ａから漏出する汚液が、汚液吸収部材１２によって吸収されてケース１１内に留められる。
【００２７】
図５は本発明の第３の実施の形態を示しており、汚液飛散防止具１０のケース１１と鉗子栓６とをゴム材で一体に形成して、その中に汚液吸収部材１２を嵌め込み、鉗子栓６と汚液飛散防止具１０を、処置具挿入口５の口金に対して着脱自在な一つのユニット状に構成したものである。なお、汚液吸収部材１２は第１の実施の形態と同様に２分割になっているが、第２の実施の形態と同様に一体物を用いてもよい。
【００２８】
このように構成することによって、汚液の外部への漏れがさらに減少すると同時に、部品点数が少なくなるので、製造コストが下がって使い捨てにする場合の経済性が向上する。
【００２９】
【発明の効果】
本発明によれば、鉗子チャンネルの入口側端部に配置された鉗子栓の入口に対向して、吸水性料からなる汚液吸収部材を、処置具が汚液吸収部材の内部に密接しながら通過できるように配置したことにより、鉗子栓から体腔内汚液の噴出があってもそれを吸収することができるので、汚液がそこから外方に飛び散らず、内視鏡検査を衛生的に行うことができる。
【図面の簡単な説明】
【図１】本発明の第１の実施の形態の内視鏡の汚液飛散防止具の縦断面図である。
【図２】本発明の第１の実施の形態の汚液吸収部材の斜視図である。
【図３】本発明の第１の実施の形態の内視鏡の操作部の一部を断面で示す側面図である。
【図４】本発明の第２の実施の形態の内視鏡の汚液飛散防止具の縦断面図である。
【図５】本発明の第３の実施の形態の内視鏡の汚液飛散防止具の縦断面図である。
【符号の説明】
１  操作部
４  鉗子チャンネル
５  処置具挿入口
６  鉗子栓
１０  汚液飛散防止具
１１  ケース
１２  汚液吸収部材
【図１】
0003554441.tif 000002
【図２】
0003554441.tif 000003
【図３】
0003554441.tif 000004
【図４】
0003554441.tif 000005
【図５】
0003554441.tif 000006